(57)【要約】【課題】アース側部材に対する接触不良をなくすることができるとともに、アース側部材との接触面積を増加することができるシールドシート及び電子機器を提供する。【解決手段】回路基板をアース側部材６に接触させるためのシールドシート９の周縁部に、該周縁部に結合される一面と、アース側部材６に接触する他面との間に、その撓みにて前記一面及び他面間の厚さが薄くなる可撓導体８を設け、該可撓導体８は、発泡部材８１及び該発泡部材８１を包被してある導電シート８２及び該導電シート８２の一面に貼付けられている両面テープ８３を有し、該両面テープ８３にて可撓導体８を結合した。【選択図】図４
2011014741.tif 000002
【特許請求の範囲】
【請求項１】
電磁波を遮断するシールドシートにおいて、周縁部に、その撓みにて一面及び他面間の厚さが薄くなる可撓導体を有することを特徴とするシールドシート。
【請求項２】
前記可撓導体は、発泡部材及び該発泡部材を包被してある導電シートを有する請求項１記載のシールドシート。
【請求項３】
前記導電シートに、導電性を有する両面テープを貼付けてある請求項１又は２記載のシールドシート。
【請求項４】
前記可撓導体よりも中央側に複数の取付片を設けてある請求項１から３のいずれか一つに記載のシールドシート。
【請求項５】
請求項１から４のいずれか一つに記載のシールドシートと、電子部品が実装され、前記シールドシートの一面側に配してある回路基板と、該回路基板及びシールドシートを支持するアース側部材とを備え、前記可撓導体は、一面及び他面間の撓みにて前記アース側部材に接触していることを特徴とする電子機器。
【請求項６】
前記回路基板は第１貫通孔を有し、前記シールドシートは前記第１貫通孔と対向する第２貫通孔を有し、前記第１貫通孔及び第２貫通孔に挿通される取付軸を備える請求項５記載の電子機器。
【請求項７】
前記アース側部材は、前記第１貫通孔に対向し、前記取付軸が嵌入される取付孔を有する請求項６記載の電子機器。
【請求項８】
前記回路基板は、前記アース側部材に接触する導電板を前記第１貫通孔の縁部に設けてある請求項６又は７記載の電子機器。 
【発明の詳細な説明】
【技術分野】
【０００１】
本発明は電磁波を遮断するシールドシート、及び該シールドシートを備える液晶テレビジョン、プラズマテレビジョン等の電子機器に関する。
【背景技術】
【０００２】
液晶テレビジョン、プラズマテレビジョン等の電子機器は、前側に表示面を有し、後側に、電源回路基板、制御回路基板等の複数の回路基板と、該回路基板に対する電磁波を遮断するシールドシートとが装着され、回路基板が発生した電磁波をシールドシートからアース側物体にアースするように構成されている（例えば、特許文献１参照）。
【０００３】
アース側物体には離隔して対向する二つの支柱が固定され、該支柱に対応する二つの第１の孔が回路基板に設けられ、シールドシートは略矩形をなす金属板の両端に取付片を成形してなり、該取付片に、前記第１の孔に対応する第２の孔が設けられ、第１及び第２の孔に挿通する雄螺子を、前記支柱の先端に螺着することにより、回路基板及びシールドシートをアース側物体に取付けるように構成されている。
【先行技術文献】
【特許文献】
【０００４】
【特許文献１】実開平５−６８９５号公報
【発明の概要】
【発明が解決しようとする課題】
【０００５】
ところが、以上のように構成された従来のシールドシートは金属板にて形成され、その両端に設けられた取付片が支柱を介してアース側物体に接触するだけであり、取付片を除く周縁部は離隔して非接触であるため、比較的大型の液晶テレビジョン等の電子機器にあっては、アース側物体との接触面積が不足することになる。また、前記取付片の個数を増加したとしてもアース側物体との接触面積が若干増加するにすぎないし、また、回路基板及びシールドシートの取付箇所が増加し、構造が複雑になるという問題がある。
【０００６】
本発明は斯かる事情に鑑みてなされたものであり、主たる目的はアース側物体への取付箇所を増加することなく、アース側物体との接触面積を増加することができるシールドシート及び電子機器を提供することにある。
【課題を解決するための手段】
【０００７】
本発明に係るシールドシートは、電磁波を遮断するシールドシートにおいて、周縁部に、その撓みにて一面及び他面間の厚さが薄くなる可撓導体を有することことを特徴とする。
【０００８】
この発明にあっては、周縁部に有する可撓導体を、一面及び他面間の厚さが薄くなるように撓ませ、該可撓導体の弾性復元力にてアース側物体に接触させることができるため、アース側物体への取付箇所を増加することなく、アース側物体に対する接触不良をなくすることができるとともに、アース側物体との接触面積を増加することができる。
【０００９】
また、本発明に係るシールドシートは、前記可撓導体は、発泡部材及び該発泡部材を包被してある導電シートを有する構成とするのが好ましい。
この発明にあっては、発泡部材を導電シートが包被しており、可撓導体を帯状に形成することができるため、シールドシートの周長が比較的長い場合においても、アース側物体に対する接触不良をなくすることができる。
【００１０】
また、本発明に係るシールドシートは、前記導電シートに、導電性を有する両面テープを貼付けてある構成とするのが好ましい。
この発明にあっては、既存の形態を変えることなく周縁部の最適な箇所に可撓導体を簡易に取付けることができる。
【００１１】
また、本発明に係るシールドシートは、前記可撓導体よりも中央側に複数の取付片を設けてある構成とするのが好ましい。
この発明にあっては、回路基板における周縁部の一面に取付片を対向させ得るため、取付片及び回路基板に形成される孔の夫々に嵌入される取付軸にて回路基板をシールドシートとともにアース側物体に取付けることができ、回路基板専用の取付構造をなくすることができる。
【００１２】
また、本発明に係る電子機器は、前述した発明のシールドシートと、電子部品が実装され、前記シールドシートの一面側に配してある回路基板と、該回路基板及びシールドシートを支持するアース側部材とを備え、前記可撓導体は、一面及び他面間の撓みにて前記アース側部材に接触していることを特徴とする。
この発明にあっては、シールドシートがアース側部材に取付けられた際、該シールドシートの周縁部に有する可撓導体が、一面及び他面間の厚さが薄くなるように撓み、弾性復元力にて可撓導体がアース側部材に接触するため、アース側部材への取付箇所を増加することなく、アース側部材に対する接触不良をなくすることができるとともに、アース側部材との接触面積を増加することができる。
【００１３】
また、本発明に係る電子機器は、前記回路基板は第１貫通孔を有し、前記シールドシートは前記第１貫通孔と対向する第２貫通孔を有し、前記第１貫通孔及び第２貫通孔に挿通される取付軸を備える構成とするのが好ましい。
この発明にあっては、第１貫通孔及び第２貫通孔に挿通される取付軸にて回路基板及びシールドシートの相対位置を保つことができるため、取付軸をアース側部材に取付けることにより、回路基板をシールドシートとともにアース側部材に取付けることができ、回路基板専用の取付構造をなくすることができるとともに、回路基板及びシールドシートの取付作業性を高めることができ、コストを低減することができる。
【００１４】
また、本発明に係る電子機器は、前記アース側部材は、前記第１貫通孔に対向し、前記取付軸が嵌入される取付孔を有する構成とするのが好ましい。
この発明にあっては、第１貫通孔及び第２貫通孔に挿通される取付軸を取付孔に嵌入することにより、回路基板をシールドシートとともにアース側部材に取付けることができ、アース側部材に開設される取付孔の個数を少なくすることができるため、回路基板及びシールドシートを、取付箇所を間違えることなくアース側部材に取付けることができ、回路基板及びシールドシートの取付作業性をより一層高めることができる。
【００１５】
また、本発明に係る電子機器は、前記回路基板は、前記アース側部材に接触する導電板を前記第１貫通孔の縁部に設けてある構成とするのが好ましい。
この発明にあっては、シールドシートから回路基板に不要な静電荷が流れても、この静電荷を導電板からアース側部材に逃がすことができる。
【発明の効果】
【００１６】
本発明によれば、周縁部に有する可撓導体を、一面及び他面間の厚さが薄くなるように撓ませ、該可撓導体の弾性復元力にてアース側部材に接触させることができるため、アース側物体への取付箇所を増加することなく、アース側部材に対する接触不良をなくすることができるとともに、アース側部材との接触面積を増加することができる。
【図面の簡単な説明】
【００１７】
【図１】本発明に係る電子機器の構成を示す一部を省略した正面図である。
【図２】本発明に係る電子機器の構成を示す一部を省略した背面図である。
【図３】本発明に係る電子機器のシールドシート部分の構成を示す拡大側面図である。
【図４】図３のIV−IV線拡大断面図である。
【図５】本発明に係るシールドシートの構成を示す内側の拡大斜視図である。
【図６】本発明に係るシールドシートの構成を示す外側の拡大斜視図である。
【図７】本発明に係るシールドシートの未装着時の要部の構成を示す拡大断面図である。
【図８】本発明に係るシールドシートの可撓導体の構成を示すもので、(a) は側面図、(b) は正面図、(c) は平面図、(d) は底面図である。
【発明を実施するための形態】
【００１８】
以下本発明をその実施の形態を示す図面に基づいて詳述する。図１は本発明に係る電子機器の構成を示す一部を省略した正面図、図２は電子機器の構成を示す一部を省略した背面図、図３は電子機器のシールドシート部分の構成を示す拡大側面図、図４は図３のIV−IV線拡大断面図である。
【００１９】
図示した電子機器は、前側に表示面を有し、略直方体をなす表示部を備える薄型の表示装置における前記表示部の後側に装着される光源装置である。
【００２０】
この光源装置は、碁盤目のように並置される光源としての複数の発光ダイオード１と、該発光ダイオード１を一面に実装してあり、複数列に並置される複数の発光ダイオード基板２と、隣合う発光ダイオード基板２，２同士を接続してある複数のコネクタ３と、発光ダイオード基板２の一面に取付けられて発光ダイオード１の頂部と対向し、該発光ダイオード１が発光した光を発散させる複数のレンズ４と、該レンズ４がその内部に配される貫通孔５１を有し、前記一面及びコネクタ３の一面に対向してレンズ４が発散した光を反射させる反射シート５と、発光ダイオード基板２をその一面に複数列に並べて支持するアース側部材６と、該アース側部材６の他面に装着された複数の回路基板７と、該回路基板７に対する電磁波を遮断するシールドシート９とを備え、該シールドシート９の周縁部がアース側部材６に接触している。
【００２１】
発光ダイオード基板２は一面に回路部を有する短冊状をなし、略矩形をなすアース側部材６の一面６ａに長さ方向及び幅方向に離隔して複数列に並置され、夫々の他面が一面に接触し、発光ダイオード基板２夫々が発する熱をアース側部材６に逃がすことができるようになしてある。発光ダイオード基板２夫々の一面には図１に示すように複数の発光ダイオード１を長さ方向に離隔して実装してあり、前記一面の長さ方向両端部には接続部２１，２２が設けられている。
【００２２】
長さ方向一端が対向するように複数列に並置された発光ダイオード基板２において、各列の発光ダイオード基板２は、隣合う二つの接続部２１，２１同士がコネクタ３にて接続され、一方の発光ダイオード基板２の接続部２２が後記する電源回路基板に第２コネクタにて接続され、他方の発光ダイオード基板２の接続部２２が後記する制御回路基板に第３コネクタにて接続されている。
【００２３】
アース側部材６は金属板を成形してなり、略矩形をなす平板状の板部６１及び該板部６１の周縁に連なる枠部を有するケース形をなし、板部６１の一面６ａに発光ダイオード基板２を長さ方向及び幅方向に並べて収容支持してある。
【００２４】
板部６１における他面の４箇所には、導電性を有する柱体６２が取付けられ、該柱体６２の先端に回路基板７及びシールドシート９の周縁部が取付けられている。板部６１における柱体６２の取付部には、一面側が大径となる段付の嵌合孔６３が開設され、該嵌合孔６３の大径部内に柱体６２の一端部がカシメられている。柱体６２の他端部には取付孔６２ａが設けら、該取付孔６２ａに捩込まれる雄螺子１０にて回路基板７及びシールドシート９が柱体６２に取付けられる。また、柱体６２は、略四角形をなす回路基板７の四つの角部に対応した箇所に設けられている。
【００２５】
回路基板７は、第２コネクタにて発光ダイオード基板２の一方の接続部２２に接続され、発光ダイオード基板２に実装されている発光ダイオード１等の電子部品に電圧を供給する電源回路基板７１、第３コネクタにて発光ダイオード基板２の他方の接続部２２に接続され、電子部品を制御する制御回路基板７２、前記表示部を制御する制御回路基板７３等を有し、いずれも略四角形をなし、図２に示すように板部６１に沿って並置されている。
【００２６】
回路部を有する制御回路基板７２の四つの角部には第１貫通孔７４が開設され、該第１貫通孔７４の一面側の縁部に、非回路部に接触する導電環板７５が固定されている。
【００２７】
図５はシールドシートの構成を示す内側の拡大斜視図、図６はシールドシートの構成を示す外側の拡大斜視図、図７はシールドシートの未装着時の要部の構成を示す拡大断面図、図８は可撓導体の構成を示すもので、(a) は側面図、(b) は正面図、(c) は平面図、(d) は底面図である。
【００２８】
シールドシート９は、制御回路基板７２を覆い、略四角形の皿形をなす遮板部９１と、該遮板部９１の周縁部から外向きに屈曲され、板部６１と対向する複数の板状の鍔部９２と、遮板部９１の対向する二つの角部から外向きに屈曲され、板部６１と対向する二つの取付片９３と、遮板部９１の残り二つの角部から内向きに屈曲され、板部６１と対向する二つの取付片９４とを有し、取付片９３，９４には、第１貫通孔７４と対向する第２貫通孔９５が設けられている。
【００２９】
鍔部９２夫々の外面には長さ方向に沿って可撓導体８が結合されている。
【００３０】
可撓導体８は、可撓性を有する発泡部材８１及び該発泡部材８１を包被してある導電シート８２を有し、四角柱形をなしており、導電シート８２の一面に、導電性を有する両面テープ８３が貼付けられ、該両面テープ８３にて鍔部９２に結合されている。鍔部９２に結合された可撓導体８は遮板部９１の周方向に離隔して並置される。
【００３１】
導電シート８２は、アルミニウム溶液が含浸された布製であり、発泡部材８１とともに撓むことができるように構成されている。
【００３２】
以上のように構成された光源装置は、アース側部材６における板部６１の他面から突出する４本の柱体６２に制御回路基板７２が載置され、該制御回路基板７２の四つの角部に設けられている第１貫通孔７４が取付孔６２ａと対向し、該制御回路基板７２の角部上にシールドシート９が載置され、シールドシート９の四つの角部に設けられている取付片９３，９４の第２貫通孔９５が第１貫通孔７４と対向する。
【００３３】
第１貫通孔７４及び第２貫通孔９５に雄螺子１０を挿通し、該雄螺子１０を取付孔６２ａに捩込むことにより制御回路基板７２及びシールドシート９を柱体６２に取付けることができる。この際、シールドシート９の周縁部に結合されている可撓導体８がアース側部材６の板部６１に接触しているため、シールドシート９にて遮断された電磁波を、可撓導体８からアース側部材６の板部６１にアースすることができる。また、可撓導体８は両面間で撓み、発泡部材８１を包被してある導電シート８２が、発泡部材８１の弾性復元力にて板部６１に面接触しているため、シールドシート９のアース側部材６に対する接触不良をなくすることができるとともに、シールドシート９のアース側部材６との接触面積を増加することができる。因って、光源装置を備える表示装置の大型化に伴って制御回路基板７２等の回路基板７及びシールドシート９が大型になっても、電磁波を効率よくアースすることができる。
【００３４】
また、回路基板７における第１貫通孔７４の一面側の縁部には導電環板７５が設けられているため、シールドシート９から回路基板７に不要な静電荷が流れても、この静電荷を導電環板７５及び柱体６２からアース側部材６の板部６１に逃がすことができる。
【００３５】
尚、以上説明した実施の形態では、両面テープ８３にて可撓導体８をアース側部材６に取付けるように構成したが、その他、可撓導体８及び取付片９３，９４に貫通孔を設け、該貫通孔に嵌入されるリベット等の軸体にて取付片９３，９４に結合する構成としてもよく、可撓導体８の結合手段は特に制限されない。
【００３６】
また、以上説明した実施の形態では、回路基板７における第１貫通孔７４の一面側の縁部に、回路基板７の非回路部に接触する導電環板７５を設けたが、その他、導電環板７５がない構成としてもよい。
【００３７】
また、本発明に係る電子機器は液晶テレビジョン等の表示装置が備える光源装置である他、前記表示装置であってもよい。
【符号の説明】
【００３８】
６    アース側部材
６２ａ  取付孔
７    回路基板
７４  第１貫通孔
７５  導電板
８    可撓導体
８１  発泡部材
８２  導電シート
８３  両面テープ
９    シールドシート
９３，９４  取付片
９５  第２貫通孔
１０  雄螺子（取付軸）
【図１】
2011014741.tif 000003
【図２】
2011014741.tif 000004
【図３】
2011014741.tif 000005
【図４】
2011014741.tif 000006
【図５】
2011014741.tif 000007
【図６】
2011014741.tif 000008
【図７】
2011014741.tif 000009
【図８】
2011014741.tif 000010